(57)【特許請求の範囲】
【請求項１】
粒径１〜１０ｍｍの範囲内の実質的にＡｌ２  Ｏ３  及びＣｒ２  Ｏ３  からなる骨材粒子を２０〜４０重量％、粒径１ｍｍ以下のＺｒＯ２  及び粒径０．１ｍｍ以下のＣｒ２  Ｏ３  からなる骨材粒子間充填用粉末を５０〜７０重量％並びに粒径０．１ｍｍ以下の微粉からなる鉱化剤を１〜１０重量％含む混合物であることを特徴とする耐溶融スラグ耐火材原料組成物。
【請求項２】
骨材粒子が単味のＡｌ２  Ｏ３  粒子及び単味のＣｒ２  Ｏ３  粒子の混合物及び／又はＡｌ２  Ｏ３  とＣｒ２  Ｏ３  の固溶体粒子からなる請求項１に記載の耐溶融スラグ耐火材原料組成物。
【請求項３】
骨材粒子がＡｌ２  Ｏ３  及びＣｒ２  Ｏ３  の固溶体である粒子とＡｌ２  Ｏ３  粒子又はＣｒ２  Ｏ３  粒子との混合物からなる請求項１に記載の耐溶融スラグ耐火材原料組成物。
【請求項４】
骨材粒子におけるＡｌ２  Ｏ３  及びＣｒ２  Ｏ３  の重量比率が９０〜２５：１０〜７５である請求項１、請求項２又は請求項３に記載の耐溶融スラグ耐火材原料組成物。
【請求項５】
骨材粒子間充填用粉末におけるＺｒＯ２  及びＣｒ２  Ｏ３  の重量比率が３０〜７０：７０〜３０である請求項１、請求項２、請求項３又は請求項４に記載の耐溶融スラグ耐火材原料組成物。
【請求項６】
鉱化剤が主としてＳｉＯ２  、Ａｌ２  Ｏ３  、ＣａＯ及びＭｇＯからなる請求項１、請求項２、請求項３、請求項４又は請求項５に記載の耐溶融スラグ耐火材原料組成物。
【請求項７】
粒径１〜１０ｍｍの範囲内の実質的にＡｌ２  Ｏ３  及びＣｒ２  Ｏ３  からなる骨材粒子を２０〜４０重量％、粒径１ｍｍ以下のＺｒＯ２  及び粒径０．１ｍｍ以下のＣｒ２  Ｏ３  からなる骨材粒子間充填用粉末を５０〜７０重量％並びに粒径０．１ｍｍ以下の微粉からなる鉱化剤を１〜１０重量％含む混合物の燒結物であることを特徴とする耐溶融スラグ耐火材。
【請求項８】
骨材粒子が単味のＡｌ２  Ｏ３  粒子及び単味のＣｒ２  Ｏ３  粒子の混合物及び／又はＡｌ２  Ｏ３  とＣｒ２  Ｏ３  の固溶体粒子からなる請求項７に記載の耐溶融スラグ耐火材。
【請求項９】
骨材粒子がＡｌ２  Ｏ３  及びＣｒ２  Ｏ３  の固溶体である粒子とＡｌ２  Ｏ３  粒子又はＣｒ２  Ｏ３  粒子との混合物からなる請求項７に記載の耐溶融スラグ耐火材。
【請求項１０】
骨材粒子におけるＡｌ２  Ｏ３  及びＣｒ２  Ｏ３  の重量比率が９０〜２５：１０〜７５である請求項７、請求項８又は請求項９に記載の耐溶融スラグ耐火材。
【請求項１１】
骨材粒子間充填用粉末におけるＺｒＯ２  及びＣｒ２  Ｏ３  の重量比率が３０〜７０：７０〜３０である請求項７、請求項８、請求項９又は請求項１０に記載の耐溶融スラグ耐火材。
【請求項１２】
鉱化剤が主としてＳｉＯ２  、Ａｌ２  Ｏ３  、ＣａＯ及びＭｇＯからなる請求項７、請求項８、請求項９、請求項１０又は請求項１１に記載の耐溶融スラグ耐火材。
【発明の詳細な説明】
【０００１】
【産業上の利用分野】
本発明は、各種金属精練、ガラス溶融、或は産業廃棄物や生活汚泥の焼却溶融等、高温の溶融スラグと接する炉壁及び炉床を有する炉体の構築に使用する耐溶融スラグ耐火材原料組成物及び耐溶融スラグ耐火材に関する。
【０００２】
【従来の技術】
Ａｌ２  Ｏ３  及びＣｒ２  Ｏ３  を含有する耐火材は高温における溶融スラグに対する耐蝕性に優れているため、ガラス工業や金属精練業における炉材として広く使用されている。しかしながら、産業廃棄物や生活汚泥の焼却溶融処理に使用する炉体材料としては、処理対象物の構成成分や物理的状態が定常的でないという特殊条件に対応する必要上特に高い性能が要求される。ことに、産業廃棄物や生活汚泥の処理においては、出来る限りの省エネルギー運転が求められるため、炉の昇温や降温を頻繁にまた短時間に行なうことがあり、そのため、炉材として高い耐スポーリング性を求められていた。
【０００３】
このため本発明者等は先に特開平５−１７０５２３「焼結耐火材」において、従来の電鋳耐火材に対し焼結法で、緻密かつ均一な組成を有する耐スポーリング性耐火材を提案した。この焼結耐火材は粒径１〜１０ｍｍの実質的にＡｌ２  Ｏ３  よりなる骨材粒子２０〜８０重量％、粒径０．１ｍｍ以下の鉱化剤１〜１０重量％、並びに残りの成分として粒径１ｍｍ以下でＣｒ２  Ｏ３  ：ＺｒＯ２  の比率が重量で４０〜９０：６０〜１０のＣｒ２  Ｏ３  及びＺｒＯ２  よりなる粒子を均一に混和して成型．焼結し、見掛気孔率を９〜３５％としたものであることを特徴とするもので、骨材としてのＡｌ２  Ｏ３  粒子の間隙を粒径１ｍｍ以下のＣｒ２  Ｏ３  及びＺｒＯ２  粒子を混入することにより粒子間を緻密な組織とし、さらに、適宜の鉱化剤（焼結剤）を用いることにより焼結したもので、これにより、炉の昇温及び降温時における耐スポーリング性を飛躍的に向上したものである。
【０００４】
【発明が解決しようとする課題】
しかしながら、前記の炉材を都市汚泥の焼却溶融に使用した実プラント運転の経験では、耐スポーリング性の問題は事実上解決されたが、一方それに伴って、より一層改善された耐食性を有する炉材が求められるに到った。すなわち、前記の炉材においては、都市汚泥の焼却溶融の際、溶融スラグに接する部分に侵食が見られ、炉の耐久性に問題を生じる所のあることが判明した。侵食部を詳細に検討したところ、Ａｌ２  Ｏ３  骨材に侵食が見られ、骨材の耐食性を向上する必要があるものと認められた。本発明は、かかる現象に注目し、一層耐蝕性に優れた、金属精練、ガラス溶融、或は産業廃棄物や生活汚泥の焼却溶融等、高温の溶融スラグと接する炉壁及び炉床を有する炉体の構築に使用する耐溶融スラグ耐火材原料組成物及び耐溶融スラグ耐火材を提供することを目的とする。
【０００５】
【課題を解決するための手段】
本発明に関わる耐溶融スラグ耐火材原料組成物は、粒径１〜１０ｍｍの範囲内の実質的にＡｌ２  Ｏ３  及びＣｒ２  Ｏ３  からなる骨材粒子を２０〜４０重量％、粒径１ｍｍ以下のＺｒＯ２  及び粒径０．１ｍｍ以下のＣｒ２  Ｏ３  からなる骨材粒子間充填用粉末を５０〜７０重量％並びに粒径０．１ｍｍ以下の微粉からなる鉱化剤を１〜１０重量％含む混合物であることを特徴とする。また本発明に関わる耐溶融スラグ耐火材は、前記の粒径１〜１０ｍｍの範囲内の実質的にＡｌ２  Ｏ３  及びＣｒ２  Ｏ３  からなる骨材粒子を２０〜４０重量％、粒径１ｍｍ以下のＺｒＯ２  及び粒径０．１ｍｍ以下のＣｒ２  Ｏ３  からなる骨材粒子間充填用粉末を５０〜７０重量％並びに粒径０．１ｍｍ以下の微粉からなる鉱化剤を１〜１０重量％含む混合物である原料組成物の燒結物であることを特徴とする。
【０００６】
Ａｌ２  Ｏ３  及びＣｒ２  Ｏ３  よりなる骨材粒子としては粒径が１〜１０ｍｍの範囲のものであることが必要である。粒径が１ｍｍより小さい粒子を使用する場合は耐食性が劣り、一方粒径が１０ｍｍを超える場合は強度上の問題を生じる。
【０００７】
骨材粒子のＡｌ２  Ｏ３  及びＣｒ２  Ｏ３  の合計は耐火材成分の２０〜４０重量％を占めることが必要である。２０重量％より少ない場合は耐食性が劣り、４０重量％を越える場合は後記の骨材粒子間充填用粉末との関係から成型性が悪くなり好ましくない。
【０００８】
骨材粒子は単味のＡｌ２  Ｏ３  粒子及び単味のＣｒ２  Ｏ３  粒子の混合物でも良いし、或はＡｌ２  Ｏ３  とＣｒ２  Ｏ３  の固溶体粒子だけでも良い。更にまた、単味のＡｌ２  Ｏ３  粒子及びＣｒ２  Ｏ３  粒子の混合物にＡｌ２  Ｏ３  とＣｒ２  Ｏ３  の固溶体粒子を混合しても良い。そのほか、Ａｌ２  Ｏ３  とＣｒ２  Ｏ３  の固溶体粒子に単味のＡｌ２  Ｏ３  粒子又は単味のＣｒ２  Ｏ３  粒子を混合したものでも良い。
【０００９】
骨材粒子（粒径１〜１０ｍｍの範囲内の実質的にＡｌ２  Ｏ３  及びＣｒ２  Ｏ３  からなる粒子）におけるＡｌ２  Ｏ３  及びＣｒ２  Ｏ３  の重量比率は、９０〜２５：１０〜７５とすることが望ましい。この範囲において、Ａｌ２  Ｏ３  とＣｒ２  Ｏ３  のそれぞれの特性が生かされ、特に優れた耐蝕性が得られる。
【００１０】
骨材粒子間充填用粉末としてのＺｒＯ２  は骨材粒子の間隙を充填し、耐火材を緻密な構造とすることにより耐火材の強度及び耐食性の向上に寄与するもので、粒径１ｍｍ以下のものを使用することが望ましい。粒径の下限値は特に制限されないが、骨材粒子間充填用粉末としてのＣｒ２  Ｏ３  の粒径より大であることが望ましい。なお本発明において、骨材粒子間充填用粉末と言う用語は、粒径１〜１０ｍｍの範囲内の骨材粒子の粒子間の間隙を充填する目的で使用される粉末という意味で用いており、粉末であること以外の特別の属性を有することを意味するものではない。
【００１１】
骨材粒子間充填用粉末としてのＣｒ２  Ｏ３  は、同じく、骨材粒子の間隙及びさらに骨材粒子と前記ＺｒＯ２  粒子との間隙を充填し、耐火材をより緻密な構造とすることにより強度及び耐食性を向上するものであり、充填をよくするためにはＣｒ２  Ｏ３  は粒径０．１ｍｍ以下とするのが望ましい。粒径の下限値は特に制限されず、サブミクロンオーダーのものも使用できる。Ｃｒ２  Ｏ３  粉末は高純度のＣｒ２  Ｏ３  粒子、Ｃｒ２  Ｏ３  骨材粒子を０．１ｍｍ以下に粉砕した粒子のうち少なくとも１つを用いることができる。
【００１２】
骨材粒子間充填用粉末のＺｒＯ２  とＣｒ２  Ｏ３  の合計は耐火材成分の５０〜７０重量％であることを必要とし、ＺｒＯ２  ：Ｃｒ２  Ｏ３  の比率は重量で３０〜７０：７０〜３０の範囲が好ましい。このような比率とすることにより、相対的に大きい粒子（粒径１〜１０ｍｍの骨材粒子）、中間の大きさの粒子（粒径１ｍｍ以下のＺｒＯ２  粉末）及び最も細かい粒子（粒径０．１ｍｍ以下のＣｒ２  Ｏ３  粉末）が組み合わされて粒子間の間隙を最小にし、耐火材をより緻密な構造とすることができる。
【００１３】
鉱化剤（燒結剤）は一般に耐火材の製造において鉱化剤として使用されているもので良く、粒径０．１ｍｍ以下のものが望ましく、通常０．１ｍｍ〜０．０１ｍｍ程度、あるいはそれ以下のものが使用される。鉱化剤は主としてＳｉＯ２  、Ａｌ２  Ｏ３  、ＣａＯ及びＭｇＯからなり、この粒子混合物を１〜１０重量％使用し、耐火材組成物を燒結させる。
【００１４】
燒結体の製造方法としては、本発明の原料組成物に水を加えて混練し、型枠内で加圧成型したものを乾燥後焼成する方法、あるいは本発明の原料組成物に水を加えて混練し、型に流し込み、固化させた後、乾燥、焼成する（鋳込み法）等適宜の方法が可能である。焼成温度は通常１３００〜２０００℃の範囲、好ましくは１５００〜１９００℃の範囲である。そのほか、本発明の原料組成物に水を加えただけの未焼成混練物を、炉の作成時に炉体構築物として使用したり、或は炉の補修用として充填することもできる。
【００１５】
また、本耐火材は、溶融炉に使用できるばかりでなく、溶融以外の一般の高温炉の構築に使用することもなんら差し支えない。
【００１６】
以下実施例により本発明を具体的に説明するが、本発明は下記の実施例に限定されるものではない。
【００１７】
【実施例１〜７及び比較例１〜８】
骨材として粒径１〜１０ｍｍの範囲のＡｌ２  Ｏ３  粒子とＣｒ２  Ｏ３  粒子、骨材粒子間充填用粉末として粒径１ｍｍ以下のＺｒＯ２  粒子と粒径０．１ｍｍ以下のＣｒ２  Ｏ３  粒子、および粒径０．１ｍｍ以下の主としてＳｉＯ２  、Ａｌ２  Ｏ３  、ＣａＯ、及びＭｇＯからなる鉱化剤を所定量加えて合計２０Ｋｇとした。これに水１．６Ｋｇと成型助剤としてのアクリル系界面活性剤０．２Ｋｇを同時に添加して混合し混練した。次に上記混練物を並形の型枠（６０ｍｍ×１２０ｍｍ×２２０ｍｍ）に流し込み、１昼夜養生して固化した成型体を十分乾燥した後、ガス炉中で１７００〜１９００℃で焼成した。この燒結体をテストプラント規模の産業廃棄物焼却炉で試用し、下水汚泥の種類を１日〜１週間ごとに変え、１４００℃で通算約２０００時間溶融処理を行った。用いた各種汚泥の灰分の組成を表１に示す。
【００１８】
【表１】
0003610523.tif 000002
【００１９】
その結果得られた耐蝕性等の評価を表２に示す。骨材合計量については、試験番号５〜１１（実施例１〜７）によれば、Ａｌ２  Ｏ３  とＣｒ２  Ｏ３  の合計量が２０〜４０重量％の範囲にあれば減肉量は少ない。しかし、骨材合計量が２０重量％以下となっている試験番号１〜３（比較例１〜３）では減肉量は増大し、また骨材合計量が４０重量％以上となっている試験番号１３、１４（比較例６〜７）では成型性が悪化している。このことより骨材合計量は２０〜４０重量％が最適範囲であることは明らかである。試験番号４（比較例４）は骨材合計量が２０重量％ではあるが、骨材粒子間充填用粉末が７５重量％と、本発明で規定する７０重量％を越えているために減肉量は大であった。また試験番号５（比較例５）は骨材合計量が４０重量％、骨材粒子間充填用粉末が５９．５重量％と、いずれも本発明で規定する値の範囲内であるが、鉱化剤が０．５重量％と少ないために燒結不能であった。なお試験番号１５（比較例８）は、前記特開平５−１７０５２３に開示された焼結耐火材に相当するものであるが、骨材としてＣｒ２  Ｏ３  粒子を含まないために減肉量は大であった。
【００２０】
【表２】
0003610523.tif 000003
【００２１】
【実施例８〜１３及び比較例９〜１５】
耐火材の組成は一定（骨材合計量３５重量％，Ａｌ２  Ｏ３  ：Ｃｒ２  Ｏ３  ＝５０：５０；粉末合計量６０重量％，ＺｒＯ２  ：Ｃｒ２  Ｏ３  ＝７０：３０；鉱化剤５重量％）とし各原料の粒径を各種選んで実施例１〜７と同様の方法で耐火材を作成した。この燒結体をテストプラント規模の産業廃棄物用高温焼却炉で試用し、実施例１〜７と同様の下水汚泥の溶融を行った。その結果得られた耐蝕性等の評価を表３に示す。
【００２２】
【表３】
0003610523.tif 000004
【００２３】
Ａｌ２  Ｏ３  及びＣｒ２  Ｏ３  骨材の粒径が１〜１０ｍｍの範囲、骨材粒子間充填用粉末としてのＺｒＯ２  の粒径が１ｍｍ以下でＣｒ２  Ｏ３  の粒径が０．１ｍｍ以下の試験番号１８〜２３（実施例８〜１３）の燒結体はいずれも減肉量が２ｍｍ／１０００時間で優れた耐蝕性を示した。しかしＡｌ２  Ｏ３  骨材の粒径が１ｍｍ未満、０．１ｍｍ以上で且つ骨材粒子間充填用粉末としてのＣｒ２  Ｏ３  の粒径が０．１ｍｍより大きい（但し骨材粒子の平均粒径より小さい）試験番号１６（比較例９）、Ａｌ２  Ｏ３  骨材及びＣｒ２  Ｏ３  骨材の両方の粒径が１ｍｍ未満、０．１ｍｍ以上で且つ骨材粒子間充填用粉末としてのＣｒ２  Ｏ３  の粒径が０．１ｍｍより大きい（但し骨材粒子の平均粒径より小さい）試験番号１７（比較例１０）（いずれの場合も骨材粒子間充填用粉末としてのＺｒＯ２  粉末の粒径も骨材粒子の平均粒径より小さい）、或はＡｌ２  Ｏ３  骨材の粒径が１０ｍｍを越える試験番号２４、２５（比較例１１、１２）は、いずれも減肉量が５〜１０ｍｍ／１０００時間と大であった。またＣｒ２  Ｏ３  骨材の粒径が１５ｍｍであるばかりでなくＺｒＯ２  の粒径が２ｍｍ以上である試験番号２６〜２８（比較例１３〜１５）は減肉量が５〜１０ｍｍ／１０００時間と大であるばかりでなく、亀裂或は貫通孔が発生した。表３の結果より、Ａｌ２  Ｏ３  及びＣｒ２  Ｏ３  骨材の粒径は１〜１０ｍｍの範囲が適当で、骨材粒子間充填用粉末としてのＺｒＯ２  の粒径は１ｍｍ以下、骨材粒子間充填用粉末としてのＣｒ２  Ｏ３  の粒径は０．１ｍｍ以下が優れていることが明らかである。
【００２４】
【発明の効果】
耐蝕性に優れた、金属精練、ガラス溶融、或は産業廃棄物や生活汚泥の焼却溶融等、高温の溶融スラグと接する炉壁及び炉床を有する炉体の構築に使用する耐溶融スラグ耐火材原料組成物又は耐溶融スラグ耐火材を得ることができる。